(57)【特許請求の範囲】
【請求項１】
間隔を空けて左右並行に配置した一対の横長の案内部材と、その案内部材にわたり跨設されて両案内部材を一体的に連結すると共に、案内部材の内側壁間を親綱に挿通した子綱端部の移動金具の通過を可能とする案内路として維持する支持部材と、その支持部材の片側に設けた取付部とからなり、
上記案内部材の両内側壁の長手方向に所要縦幅のスリットを設け、その一方のスリットから他方のスリットに上部で親綱を受ける綱受けピンを可動自在に基端部をばね部材により支持して突設し、その綱受けピンの先端部が位置する他方のスリットの下縁に、該綱受けピンの先端部を係止する切欠部を設けてなることを特徴とする親綱支持装置。
【発明の詳細な説明】
【０００１】
【発明が属する技術分野】
この発明は、建築現場などの作業足場に横に張り設けられる親綱の支持装置に関するものである。
【０００２】
【発明が解決しようとする課題】
高所作業での作業足場に採用されている親綱の張設は、図１２に示すように、足場板１の外縁に取付けた一定間隔ごとの支柱２の頂部支持板３に親綱４をフック５を使用して掛け止めるか、または端部をループ６に形成して取付けるなどして行っている。
【０００３】
この親綱４には、作業員が下げている子綱７のフック８がルーズに掛け止められ、その子綱７と親綱４とにより横方向の動きを束縛されることなく、高所作業が安全に行えるようにしている。
【０００４】
このような従来の親綱支持では、親綱の張設が支柱ごとに行われているため、作業員が自由に移動できる範囲は支柱間の１スパンに制限され、資材などの運搬などで隣のスパンまで行く必要が生じたときには、境界の支柱の所で子綱のフックを隣のスパンの親綱に掛け換えなければならない不便さがあった。
【０００５】
そこで本発明者は先に、親綱を側方から挿通可能な支持本体と、該支持本体を上端部に横設した支柱とから装置を構成し、該支持本体の上部または一側部に子綱端部のフックの通過を許容するスリットを長手方向に設け、そのスリットの両端部にフックのガイドを形成して、隣のスパンまで行く場合でも、親綱に引っ掛けた子綱端部のフックやカラビナを隣のスパンの親綱に掛け換える必要がない親綱支持装置を考案した（実開平７−１３３５５号公報参照）。
【０００６】
この従来の親綱支持装置では、フックやカラビナなどの通過に支障を来すことはないが、滑車付きの移動金具の場合には、厚みが親綱の太さ以上にあることから、案内間隙が幅広のものでなければならず、また幅広に形成するとその案内間隙から親綱が抜け出して外れ、親綱支持という機能を失うなどのことから、その使用は偏平な金具を親綱に引っ掛けて子綱を接続した場合に限られた。
【０００７】
この発明は上記従来の課題を解決するために考えられたものであつて、その目的は、偏平な金具は勿論のこと滑車を取付けた厚みのある移動金具でも容易に通過させることができ、また案内路が親綱の太さよりも幅広で、親綱が案内路から抜け出すことがあっても、装置からの脱落を二次的に防止することができる新たな構成の親綱支持装置を提供することにある。
【０００８】
【課題を解決するための手段】
上記目的によるこの発明は、間隔を空けて左右並行に配置した一対の横長の案内部材と、その案内部材にわたり跨設されて両案内部材を一体的に連結すると共に、案内部材の内側壁間を親綱に挿通した子綱端部の移動金具の通過を可能とする案内路として維持する支持部材と、その支持部材の片側に設けた取付部とからなり、上記案内部材の両内側壁の長手方向に所要縦幅のスリットを設け、その一方のスリットから他方のスリットに上部で親綱を受ける綱受けピンを可動自在に基端部をばね部材により支持して突設し、その綱受けピンの先端部が位置する他方のスリットの下縁に、該綱受けピンの先端部を係止する切欠部を設けてなる、というものである。
【０００９】
上記構成では、支柱や横架材等に取付けた上部の支持部材を潜ぐらせて、親綱を案内部材の一端から他端に、案内部材間の案内路に位置させるだけで、親綱を綱受けピンを介して装置に支持させることができる。
【００１０】
また親綱に引っ掛けた子綱端部の移動金具は、親綱が可動自在な上記綱受けピンに支えられているだけなので、その綱受けピンは移動金具が案内路を通過する際に、その移動金具により順に移動方向に押しやられてスリット内に押し戻され、案内路から一時的に退けられるので通過の障害とならず、また移動金具が通過すると同時に、綱受けピンがばね部材により元の位置に急速に復帰して再び親綱を受けるようになるので、親綱が綱受けピンから外れて下に抜け落ちるようなこともない。
【００１１】
また落下事故などにより親綱に下方への引張力が働き、その引張力により綱受けピンに内方へ押しやる偏荷重が作用したときには、対向内側壁のスリットの下縁に上記切欠部があるので、綱受けピンは横方向に逃げることなく先端部が引っ張られて斜めに切欠部に落ち込み、切欠端に係止されて親綱を支える。
【００１２】
【発明の実施の形態】
図１から図９は、前後一対の綱受けピンを備えたこの発明の実施形態を示すものである。
図中１１，１２は間隔を空けて左右並行に配置した角筒形の一対の横長の案内部材で、その両方は中央部に跨設した支持部材１３により一体的に連結されている。この支持部材１３による連結で案内部材１１，１２の内側壁１４，１５の間は親綱３１に掛け設けた子綱端部の移動金具３２の通過を可能とする幅広の案内路１６として維持されている。
【００１３】
上記内側壁１４，１５には長手方向に所要縦幅のスリット１７，１８が設けてあり、その一方のスリッ１７から他方のスリット１８に上部で親綱３１を受ける前後一対の綱受けピン１９，２０が突設してある。また綱受けピン１９，２０の先端部が位置するスリット１８の下縁には、該先端部を係止する端部２１ａ，２２ａをそれぞれ内側に形成し、外側を傾斜縁に形成した所要長さの切欠部２１，２２が設けてある。
【００１４】
上記綱受けピン１９，２０はスリット１７，１８よりも小径で、基端部をコイルばね２３，２４により支持して一方の案内部材１１の外側壁１１ａに可動自在に取り付けてあり、また側方から下向きの荷重を受けたときに先端部が下側に傾斜するように、ピン下側にクリアランスを設けて上記スリット１７に挿通してある。
【００１５】
上記支持部材１３は鋼板を門型に溶接して形成したものからなり、両側板１３ａ，１３ｂを上記案内部材１１，１２の外側壁１１ａ，１２ａにそれぞれ溶接して両案内部材１１，１２にわたり跨設され、また上部の片側には天板１３ｃを延長して形成した取付板１３ｄが一体に設けてある。
【００１６】
このような支持部材１３により案内部材１１，１２を一体化して、該案内部材間に親綱３１の支持と移動金具３２の通過の両方を可能とする案内路１６を形成した親綱支持装置は、上記取付板１３ｄの下面両端部に突設したピン３３による取付部を、角形の支柱３４の頂端に設けた座板３５の取付孔３６に嵌合して、該支柱３４の頂部内側に取り付けられる。
【００１７】
上記実施形態では、親綱３１を案内部材１１，１２の一端から他端に、支柱３４に取付けた案内部材上の上記支持部材１３を潜ぐらせ、案内路１６に位置させると、前後の綱受けピン１９，２０が親綱３１を支える。親綱３１の両端部は図では省略したが、他の支柱に固定されているので、この支持により親綱３１は少なくとも２スパンにわたりけ張設されることになる。
【００１８】
かかる支持状態にて、搬送などの作業が隣のスパンまで及ぶ場合には、作業員は移動金具３２の掛け換えを行うことなくスパンからスパンへ移動することができる。作業員の移動により引っ張られた子綱端部の移動金具３２は、そのままの姿勢で案内路１６に入り込む。
【００１９】
この際、案内路１６の横幅を移動金具３２の滑車３２ａを受ける両側板３２ｂが通過するだけの間隔に設定しておくと、両側板３２ｂの上端両側に突出した支軸の軸受ナット（図示せず）が、両案内部材の上に競り上がって案内部材１１，１２に支持されるようになる。
また軸受ナットの外周に、図のように回転リング３２ｃを嵌挿した場合には、該回転リング３２ｃが案内部材１１，１２の内側上縁をガイドレールとして転がってゆくので抵抗が少なく、移動金具３２の通過がスムーズに行われる。
【００２０】
このため案内路１６の親綱３１には移動金具３２の負担が掛からず、移動金具３２の重量により可動自在な綱受けピン１９，２０が基端部から下向きに傾斜することもなく、移動金具３２は両側板３２ｂにより綱受けピン１９，２０を順に移動方向へ押してゆく。
【００２１】
この移動金具３２の両側板３２ｂにより順に押された綱受けピン１９，２０では、先ず前側の綱受けピン１９が屈曲するコイルばね２３により基端部から移動方向へ押しやられ、さらにはスリット１７内に押し込められて、案内路１６から一時的に押し退けられる。そして移動金具３２が通過して両側板３２ｂによる押圧力が除かれると同時に、綱受けピン１９は屈曲したコイルばね２３の復元力により元の位置に急速に戻って親綱３１を再び支持するようになる。引き続いて後側の綱受けピン２０に対しても同様な作動が生ずる結果、綱受けピン１９，２０は移動金具３２の通過障害とならず、また親綱３１は移動金具３２の通過によっり綱受けピン１９，２０から外れて脱落するようなこともない。
【００２２】
図５〜図７に示すように、何らかの理由により親綱３１に引張力が作用し、その引張力により綱受けピン２０に内方へ押しやる偏荷重が作用した場合には、ピン先端部が位置するスリット１８の下縁に上記切欠部２２が形成してあるので、綱受けピン２０は横方向に逃げることなく先端部が引っ張られて斜めに切欠部２２に落ち込み、さらに切欠端２２ａに係止されて親綱３１を支える。またその際の反動で、親綱３１が跳上がって、案内路１６から上方に抜け出ることがあっても、親綱３１は支持部材１３の両側板に遮られて案内部材１１，１２から抜け落ちるようなこともない。したがって、作業員の落下事故においても親綱３１は脱落せず機能する。
【００２３】
図８及び図９に示す実施態様は、上記切欠部２１，２２の外端２１ｂ，２２ｂをも係止端に形成し、親綱３１の引張力を受けた綱受けピン２０が弾みで内側の切欠端２２ａから外れて案内路外に押しやられても、次の綱受けピン１９が外端２１ｂに係止して親綱３１の外れを防止するというものである。したがって、この実施態様では不足の事故の発生時に二重に安全が確保される。
【００２４】
図１０及び図１１は、１本の綱受けピン１９により親綱３１を支持する小型の実施形態を示すもので、上記実施形態と同一部分については同一符号をもって示し、その詳細は省略する。
上記一対の案内部材１１，１２は、中央部に跨設した折曲板による支持部材１３により一体的に連結されている。この支持部材１３は側面が凸状形で折曲により案内部材１１，１２の外側壁と底壁の二辺を形成しており、内側壁と天井壁の二辺は他の板材により折曲形成して、その両方を互いに内向きに溶接して断面四辺形の案内部材１１，１２しなしている。
【００２５】
また支持部材１３の片側面には、上下に顎部を有する一対のクランプ３７による取付部が縦に設けてある。またクランプ３７の上顎部には固着用のボルト部材３８がねじ込んであり、このボルト部材３８と下顎部との間に、縦材や横架材として配設されたＨ型鋼のフランジあるいは側部を挟持して、足場などに取付けることができるようにしてある。
【００２６】
このような小型で簡素化された構造においても、親綱３１の支持及び移動金具３２による綱受けピン１９の作動は上記実施形態と同様に行われ、綱受けピン１９が親綱３１により偏荷重を受けた際にも、綱受けピン１９は横方向に逃げることなく先端部が引っ張られて斜めに切欠部２１に落ち込み、さらに切欠端２１ａに係止されて親綱３１を支える。
【００２７】
この発明は上述のように、親綱に掛け通した子綱端部の移動金具の構造や形状に左右されずに使用でき、また移動金具の通過に際して特別な操作を要せず、作業員の移動のままに自然に移動金具も親綱支持装置を通過するので、スパンからスパンへの移動が一段と容易となり、高所作業での安全の確保にきわめて有益であるばかりか、説明は省略したが、フックあるいはカラビナなどの偏平な金具をも同様な動作によって通過させ得るので、これまでの構造の親綱支持装置よりも利用し易いなどの利点を有する。
【図面の簡単な説明】
【図１】  この発明の親綱支持装置の一実施形態の斜視図である。
【図２】  反対側から見た分解斜視図である。
【図３】  移動金具の通過状態を鎖線で示す縦断正面図である。
【図４】  同じく平断面図である。
【図５】  親綱に引張力が作用した場合の綱受けピンの動作を説明する片側の案内部材を長手方向に切断して示す側面図である。
【図６】  同じく両案内部材の平断面図である。
【図７】  同上の縦断端面図である。
【図８】  この発明の他の実施形態の分解斜視図である。
【図９】  同じく図５と同じ綱受けピンの動作説明ずである。
【図１０】  この発明のさらに他の実施形態の斜視図である。
【図１１】  移動金具の通過状態を鎖線で示す縦断正面図である。
【図１２】従来の親綱の支持状態を示す説明図。
【符号の説明】
１１，１２      案内部材
１３            支持部材
１４，１５      内側壁
１６            案内路
１７，１８      スリット
１９，２０      綱受けピン
２１，２２      切欠部
２１ａ，２２ａ  係止端
３１            親綱
３２            移動金具
３３            ピン（取付部）
３４            支柱
３７            クランプ（取付部）
３８            ボルト部材
【図１】
0003848704.tif 000002
【図２】
0003848704.tif 000003
【図３】
0003848704.tif 000004
【図４】
0003848704.tif 000005
【図５】
0003848704.tif 000006
【図６】
0003848704.tif 000007
【図７】
0003848704.tif 000008
【図８】
0003848704.tif 000009
【図９】
0003848704.tif 000010
【図１０】
0003848704.tif 000011
【図１１】
0003848704.tif 000012
【図１２】
0003848704.tif 000013